(57)【要約】【課題】圧力セルの圧力測定器への着脱を容易にすると共に、圧力の測定条件も一定とする。【解決手段】係合部２１５を備える筐体２１１と、隔膜２１２とで形成される貯液室２１７を有する圧力セル２１０を着脱自在に保持し、圧力セル２１０の内方に貯留される液体の圧力を測定する圧力測定器１５０を有する体液処理装置１００であって、基台１５１と、係合部２１５と係合することで基台１５１に対する筐体２１１の距離を規制する規制手段１５２と、係合部２１５と規制手段１５２との係合状態を固定する固定手段１５３と、隔膜２１２と接続される接続部１６２を有し、基台１５１に対する隔膜２１２の変位を信号に変換するセンサ１５４とを備える。【選択図】図３
2010259538.tif 000002
【特許請求の範囲】
【請求項１】
係合部を備える筐体と、隔膜とで形成される貯液室を有する圧力セルを着脱自在に保持し、前記貯液室に貯留される液体の圧力を測定する圧力測定器を有する体液処理装置であって、
基台と、
前記係合部と係合することで前記基台に対する前記筐体の距離を規制する規制手段と、
前記係合部と前記規制手段との係合状態を固定する固定手段と、
前記隔膜と接続される接続部を有し、前記基台に対する前記隔膜の変位を信号に変換するセンサと
を備える体液処理装置。
【請求項２】
前記規制手段は、前記係合部と係合する第二係合部が設けられる挟持体であって、前記係合部と前記第二係合部とが係合する係合方向と交差する方向に前記基台に対し付勢される挟持体を備え、
前記固定手段は、前記挟持体が付勢される方向と交差する方向、かつ、前記係合部を第二係合部に押し付ける方向に前記基台に対し付勢される固定体を備える
請求項１に記載の体液処理装置。
【請求項３】
さらに、
付勢力に抗して前記挟持体を移動させ、前記係合部に対する前記第二係合部との係合状態を解除する解除手段を備える
請求項２に記載の体液処理装置。
【請求項４】
さらに、
前記係合部を第二係合部に押し付けた状態における前記固定体の位置と、前記係合部と第二係合部との係合が解除された状態における前記固定体の位置との相違を検出する第二センサを備える
請求項２に記載の体液処理装置。
【請求項５】
さらに、
前記基台に取り付けられ、前記貯液室を透過する光を放射する投光装置と、
前記基台に取り付けられ、前記貯液室を透過した光を受け取る受光装置と
を備える請求項１に記載の体液処理装置。
【請求項６】
係合部を備える筐体と、隔膜とで形成される貯液室を有する圧力セルを着脱自在に保持し、前記貯液室に貯留される液体の圧力を測定する圧力測定器であって、
基台と、
前記係合部と係合することで前記基台に対する前記筐体の距離を規制する規制手段と、
前記係合部と前記規制手段との係合状態を固定する固定手段と、
前記隔膜と接続される接続部を有し、前記基台に対する前記隔膜の変位を信号に変換するセンサと
を備える圧力測定器。
【発明の詳細な説明】
【技術分野】
【０００１】
本願発明は、体外に体液を導出して処理する体液処理装置であって、体液の圧力、または、体液を処理するための液体の圧力を測定する圧力測定器を備える体液処理装置に関する。また、前記圧力測定器に関する。
【背景技術】
【０００２】
体外に体液を導出して処理する体液処理装置の一つとして、血液透析装置が例示できる。血液透析装置は、人体から導出した血液を血液浄化器（ダイアライザ）に流通させ、血液中の過剰な水分や老廃物を除去するための装置である。人体から導出される血液が流通する流路は、血液回路とよばれ、血液透析装置に取り付けられ、血液透析装置が備える血液ポンプによって血液が強制的に流され、そこに接続された前記血液浄化器によって浄化さる。また、血液浄化器によって分離された血液中の不要物質は透析液とともに排出される。この透析液が流通する回路は透析液回路と称されている。
【０００３】
特に、血液透析装置を用いて持続的腎補助療法（ＣＲＲＴ）を施す場合、単に血液の循環用の血液回路が存在するばかりでなく、血液の量や濃度を調整するために用いられる補正計量機構や、補水用回路なども必要となるため部品点数が多くなる。そしてこれらの部品を用いて構築される回路は非常に複雑となる。
【０００４】
しかし、血液透析装置に取り付ける部品の取り付け間違いや、血液回路の構築間違いなどは被透析患者の生命に関わる重大な問題であり、間違いの発生は許されない。そこで、間違いの発生を防止しつつ、取り付け作業者の負担を軽減する目的として種々の提案がなされている。
【０００５】
例えば特許文献１には、重ね合わされた樹脂シートの間に一体的に血液回路が設けられた回路体が記載されている。当該回路体によれば、既に血液回路が形成された状態で処理装置に取り付けることができるため、回路構築の間違いが少なく、取り付け作業が簡単になるとされている。
【０００６】
また、特許文献２には、１枚のシートに一部が固定された血液回路が記載されている。当該血液回路によれば、チューブの折れ曲がりやもつれを防止でき、間違いなく血液回路を血液透析装置に取り付けることができるとされている。
【先行技術文献】
【特許文献】
【０００７】
【特許文献１】特開昭６１−１１３４６１号公報
【特許文献２】登録実用新案第３０８２０２１号公報
【発明の概要】
【発明が解決しようとする課題】
【０００８】
このような血液回路を流れる血液の圧力や透析液回路を流れる透析液の圧力は、人命に関わる重要な指標となるため、圧力を正確にモニタリングできることが望まれている。そこで血液透析装置には、血液回路や透析液回路に流れる液体の圧力を測定する機器が取り付けられており、血液回路などを血液ポンプなどに取り付ける作業と同様に、圧力を測定する機器も血液回路などの一部として圧力を測定する機器に取り付けられる。
【０００９】
ところが、血液回路などを流れる液体の圧力を安定した状態で正確に測定する場合、圧力を測定する機器と血液回路などとの位置関係が一定である必要があり、この作業が困難な場合が多い。
【００１０】
本願発明は上記課題に鑑みなされたものであり、液体の圧力を測定するために血液回路などに備えられている圧力セルを容易に着脱でき、かつ、正確に圧力を測定することのできる圧力測定器、当該圧力測定器を備えた体液処理装置の提供を目的としている。
【００１１】
なお、上記説明において、体液処理装置の一つとして血液透析装置を説明したが、上記課題は血液透析装置に限定されるものではない。例えば、血液濾過装置、人工心肺装置、血液濃縮装置など体外に体液を導出して処理する装置全般も同様の課題を有している。
【課題を解決するための手段】
【００１２】
上記課題を解決するために、本願発明にかかる体液処理装置は、係合部を備える筐体と、隔膜とで形成される貯液室を有する圧力セルを着脱自在に保持し、前記貯液室に貯留される液体の圧力を測定する圧力測定器を有する体液処理装置であって、基台と、前記係合部と係合することで前記基台に対する前記筐体の距離を規制する規制手段と、前記係合部と前記規制手段との係合状態を固定する固定手段と、前記隔膜と接続される接続部を有し、前記基台に対する前記隔膜の変位を信号に変換するセンサとを備えることを特徴とする。
【００１３】
これにより、圧力セルとセンサとの位置関係が一定に規制された状態で圧力セルが基台に固定されるため、圧力セルに設けられている隔膜の変位を安定した状態で正確に測定することが可能となる。つまり、圧力セルの貯液室内を流通する液体の圧力を常に正確に測定することが可能となる。
【００１４】
また、前記規制手段は、前記係合部と係合する第二係合部が設けられる挟持体であって、前記係合部と前記第二係合部とが係合する係合方向と交差する方向に前記基台に対し付勢される挟持体を備え、前記固定手段は、前記挟持体が付勢される方向と交差する方向、かつ、前記係合部を第二係合部に押し付ける方向に前記基台に対し付勢される固定体を備えることが好ましい。
【００１５】
これにより、挟持体に付加される付勢力に抗して挟持体を拡げると共に、固定体に付加される付勢力に抗して固定体を移動させることで、基台に対し圧力セルを容易に取り付けることが可能となる。また、圧力セルが取り付けられた状態では、圧力セルの係合部と挟持体の第二係合部とが固定体の付勢力により押し付けられた状態で固定されるため、基台に対する筐体の距離の狂いを抑制することが可能となる。
【００１６】
さらに、付勢力に抗して前記挟持体を移動させ、前記係合部に対する前記第二係合部との係合状態を解除する解除手段を備えることが好ましい。
【００１７】
これにより、圧力セルを取り付ける場合のみならず、取り外す場合も容易に取り外すことができ、血液回路などの取替作業を簡単に進めることが可能となる。
【００１８】
さらに、前記係合部を第二係合部に押し付けた状態における前記固定体の位置と、前記係合部と第二係合部との係合が解除された状態における前記固定体の位置との相違を検出する第二センサを備えることが好ましい。
【００１９】
これにより、圧力セルが取り付けられたことを体液処理装置に通知することができるため、圧力セルの取り付け状態を体液処理装置が監視し、血液回路などの取り付け作業の確実性を向上させることが可能となる。
【００２０】
さらに、前記基台に取り付けられ、前記貯液室を透過する光を放射する投光装置と、前記基台に取り付けられ、前記貯液室を透過した光を受け取る受光装置とを備えることが好ましい。
【００２１】
これによれば、圧力セルが基台に対して一定の距離で固定されるため、一定の条件で光を貯液室に透過させ、当該透過光を受光することが可能となる。従って、貯液室を通過する液体の状態を一定の条件で監視することが可能となる。
【００２２】
また、上記課題を解決するために、本願発明にかかる圧力測定器は、係合部を備える筐体と、隔膜とで形成される貯液室を有する圧力セルを着脱自在に保持し、前記貯液室に貯留される液体の圧力を測定する圧力測定器であって、基台と、前記係合部と係合することで前記基台に対する前記筐体の距離を規制する規制手段と、前記係合部と前記規制手段との係合状態を固定する固定手段と、前記隔膜と接続される接続部を有し、前記基台に対する前記隔膜の変位を信号に変換するセンサとを備えることを特徴とする。
【００２３】
これにより、圧力セルとセンサとの位置関係が一定に規制された状態で圧力セルが基台に固定されるため、圧力セルに設けられている隔膜の変位を安定した状態で正確に測定することが可能となる。つまり、圧力セルの貯液室内を流通する液体の圧力を常に正確に測定することが可能となる。
【発明の効果】
【００２４】
本願発明によれば、圧力セルをセンサに対し所定の距離で固定することが可能となり、正確に貯液室を通過する液体の圧力を測定することが可能となる。
【図面の簡単な説明】
【００２５】
【図１】血液回路が取り付けられた血液透析装置を模式的に示す図である。
【図２】圧力セルを示す斜視図であり、（ａ）は正面図、（ｂ）は背面図である。
【図３】圧力測定器と圧力セルの一部断面を模式的に示す側面図であり、圧力セルが取り付けられる前の状態を示している。
【図４】圧力測定器と、一部を切り欠いて示す圧力セルを示す斜視図であり、圧力セルが取り付けられる前の状態を示している。
【図５】解除手段を示す側面図である。
【図６】圧力セルが取り付けられる圧力測定器の状態を一部切り欠いて示す側面図である。
【図７】圧力セルが取り付けられる圧力測定器の状態を一部切り欠いて示す側面図である。
【図８】圧力セルを取り外された圧力測定器の状態を一部切り欠いて示す側面図である。
【図９】圧力測定器を別の角度から一部を切り欠いて示す側面図である。
【図１０】圧力測定器の血液透析装置への取り付け態様の一例を示す側面図である。
【発明を実施するための形態】
【００２６】
次に、本願発明を実施するための一形態を体液処理装置の一つである血液透析装置を例示することで説明する。
【００２７】
図１は、血液回路が取り付けられた血液透析装置を模式的に示す図である。
【００２８】
同図に示すように、本実施形態に係る血液透析装置１００は、血液回路２０１や、濾液補液回路２０２が取り付けられた状態で持続的腎補助療法を行うことのできる装置であって、ポンプ１０１と、圧力測定器１５０とを備えている。血液回路２０１や濾液補液回路２０２には圧力セル２１０が取り付けられている。
【００２９】
血液透析装置１００は、血液回路２０１内にある血液をポンプ１０１によって強制的に一方方向に移動させ、人体３００から血液を導出し、ダイアライザ２２０により浄化された血液を再び人体３００に戻している。そして、人体３００からポンプ１０１までの血液の圧力、ダイアライザ２２０を通過する前の血液の圧力、ダイアライザ２２０を通過した後の血液の圧力を検出するため、血液回路２０１の該当する位置にはそれぞれ圧力セル２１０が取り付けられている。
【００３０】
一方、血液透析装置１００は、濾液補液回路２０２内にある透析液をポンプ１０１によって強制的に移動させ、ダイアライザ２２０によって抽出される血液中の不純物を排出し、必要に応じて適切な量の補液（透析液と兼用）を返血に補充している。そして、ダイアライザ２２０を通過した後の透析液の圧力を検出するため、濾液補液回路２０２の該当する位置には圧力セル２１０が取り付けられている。
【００３１】
以上により血液透析装置１００は、持続的に人体から血液を導出して血液を浄化しつつ、浄化によって不足した血液の構成成分を補充して人体３００に血液を返血する。
【００３２】
図２は、圧力セルを示す斜視図であり、（ａ）は正面図、（ｂ）は背面図である。
【００３３】
同図に示すように、圧力セル２１０は、血液回路２０１や濾液補液回路２０２に組み込まれ、血液回路２０１や濾液補液回路２０２内を流通する液体の圧力の変化に応じて状態が変化する装置であり、筐体２１１と、隔膜２１２と、導入口２１３と、導出口２１４とを備えている。
【００３４】
筐体２１１は、内部に流通する液体の圧力に関係なく一定の形態を維持することのできる剛性を備えた部材であり、内部に貯液室（図示せず）を形成するための空間が設けられる箱状の部材である。また、筐体２１１には係合部２１５が備えられている。本実施の形態の場合、筐体２１１は、一端部が閉塞された短い円筒形状となっており、周壁には外方突出状に係合部２１５が設けられている。
【００３５】
係合部２１５は、筐体２１１と一体に成形される矩形の部分であり、筐体２１１の直径方向に二つ設けられている。
【００３６】
隔膜２１２は、内部に流通する液体の圧力に従って、膨出し、凹陥する柔軟性を備えた部材であり、筐体２１１が形成する貯液室の一部を覆うようにして筐体２１１に取り付けられている。本実施の形態の場合、隔膜２１２の中央には磁石２１６が取り付けられている。
【００３７】
磁石２１６は、隔膜２１２と後述するセンサとを着脱自在に接合するための部材であり、隔膜２１２とセンサとが磁石２１６を介して接合されることで、隔膜２１２の膨出状態を検出するばかりでなく、隔膜２１２が凹陥した状態を検出することも可能となる。
【００３８】
導入口２１３と導出口２１４とはそれぞれ血液回路２０１や濾液補液回路２０２を構成するチューブと接続される部材であり、血液回路２０１や濾液補液回路２０２に流通する液体を貯液室に導入し、また、貯液室から導出するための部材である。
【００３９】
図３は、圧力測定器と圧力セルの一部断面を模式的に示す側面図であり、圧力セルが取り付けられる前の状態を示している。
【００４０】
図４は、圧力測定器と、一部を切り欠いて示す圧力セルを示す斜視図であり、圧力セルが取り付けられる前の状態を示している。
【００４１】
同図に示すように、圧力測定器１５０は、圧力セル２１０内方の貯液室２１７に貯留される液体の圧力を測定する装置であり、基台１５１と、規制手段１５２と、固定手段１５３と、センサ１５４と、解除手段１５５と、第二センサ１６５とを備えている。
【００４２】
基台１５１は、隔膜２１２の変位を圧力として検出するための基準となる部材である。本実施の形態の場合、血液透析装置１００の筐体が基台１５１として機能している。
【００４３】
規制手段１５２は、圧力セル２１０が備える係合部２１５と係合することで基台１５１に対する圧力セル２１０の筐体２１１の距離を規制する装置である。本実施の形態の場合、規制手段１５２は、第二係合部１５６が設けられる挟持体１５７と、係合部２１５と第二係合部１５６とが係合する係合方向（図３中の左右方向）と交差する方向（図３中の矢印方向）に挟持体１５７を付勢する第一バネ１５８とを備えている。
【００４４】
なお、係合方向とは係合部２１５と第二係合部１５６とが係合し、係合状態を維持する際に発生する力の方向である。また、係合方向と交差する方向とは、前記係合方向とは平行でない方向である。例えば、係合方向と垂直に交差する方向等を挙示することができる。
【００４５】
挟持体１５７は、基台１５１に対し、軸１５９によって取り付けられており、軸１５９を中心に回転可能に取り付けられている。挟持体１５７は、細長い板状の部材であり、挟持体１５７の厚さ方向には貫通状に設けられた矩形の孔である第二係合部１５６が設けられている。また、挟持体１５７の先端は屈曲しており、圧力セル２１０が押し付けられる際に、付勢力に抗する方向に力が発生するものとなっている。また、挟持体１５７は、挟持体１５７に付加される付勢力に抗して挟持体１５７を回転させるための突出部を備えている。なお、突出部については後述する。
【００４６】
第一バネ１５８は、挟持体１５７の先端が近づく方向に付勢する弦巻バネである。第一バネ１５８は、図３で示す上下方向かつ広がる方向に付勢力が発生しており、基台１５１に軸支されている挟持体１５７の基端部に当該付勢力が付加されることで、挟持体１５７の先端部は、図３中の矢印で示す方向に付勢されるものとなっている。
【００４７】
固定手段１５３は、圧力セル２１０の係合部２１５と規制手段１５２との係合状態を固定する装置である。本実施の形態の場合、固定手段１５３は、固定体１６０と、第二バネ１６１とを備えている。
【００４８】
固定体１６０は、挟持体１５７が付勢される方向と交差する方向、かつ、係合部２１５を第二係合部１５６に押し付ける方向に基台１５１に対し付勢される部材である。具体的に固定体１６０は、中央に孔が設けられた板状の部材であり、後述する第二バネ１６１によって、図３で示す左右方向かつ基台１５１から遠ざかる方向に付勢されている。また、係合部２１５を第二係合部１５６に押し付ける方向は、前記係合方向と同じ方向となる。
【００４９】
第二バネ１６１は、固定体１６０を基台１５１から遠ざかる方向に付勢する弦巻バネである。図４に示すように、圧力セル２１０が取り付けられた状態において、第二バネ１６１の付勢力は、固定体１６０を介し、さらに、筐体２１１を介して係合部２１５を第二係合部１５６に押し付けている。
【００５０】
センサ１５４は、隔膜２１２と接続される接続部１６２を有し、基台１５１に対する隔膜２１２の変位に接続部１６２を追随させることで隔膜２１２の変位を電気信号に変換することのできる装置である。本実施の形態の場合、センサ１５４は、ロードセル１６３と、接続部１６２が設けられるアーム１６４とを備えている。
【００５１】
ロードセル１６３は、隔膜２１２の変位、すなわち貯液室２１７に存在する液体の圧力（力）を電気信号に変換して出力するセンサであり、本実施の形態の場合、歪みゲージが４個取り付けられたロバーバル型のロードセル１６３が採用されている。ロードセル１６３は、圧力セル２１０の隔膜２１２の膨出ばかりでなく、凹陥も検出することができるものとなっている。ロードセル１６３は、基端部が基台１５１に取り付けられており、ロードセル１６３の先端に加えられた力（図３、図４中の左右方向）によって発生した歪みによって歪みゲージが動作し、電気信号を送信できるものとなっている。
【００５２】
なお、センサ１５４としては、上記ロードセル１６３の採用に限定されるわけではない。例えば、なお、引っ張り型、圧縮型等のロードセルを採用してもよい。また、歪みゲージばかりでなく、磁歪効果や、圧電効果などを利用するものでもよい。
【００５３】
アーム１６４、接続部１６２は、ロードセル１６３の加重を掛けるポイントをロードセル１６３の先端部から任意の場所に移動させる部材である。本実施の形態の場合、アーム１６４は、剛性の高い板状の金属板であり、ロードセル１６３に平行かつ所定の距離を隔てて配置されている。また、アーム１６４の基端部は、ロードセル１６３の先端部と強く固着されており、アーム１６４の先端部はロードセル１６３の中央部近傍にまで伸びている。
【００５４】
このようなアーム１６４の配置にすることで、圧力測定器１５０を比較的コンパクトに構成することができ、血液透析装置１００に組み込みやすくなる。
【００５５】
接続部１６２は、アーム１６４の先端から突出方向に延びた円柱状の部材であり、少なくとも先端は圧力セル２１０が備える磁石２１６と磁気により着脱自在に接続することのできる金属または磁石である。接続部１６２は、挟持体１５７や固定体１６０等と干渉することなく突出状に配置されており、貯液室２１７に液体が貯留されていない状態の圧力セル２１０を取り付けた状態で、圧力セル２１０の磁石２１６と当接（磁力なしで）するように配置されている。
【００５６】
図５は、解除手段と解除手段による挟持体の動作態様を模式的に示す図である。
【００５７】
同図（ａ）は、解除手段１５５の移動（同図（ｂ）に矢印ｇで示す）により挟持体１５７に発生する力ｆの方向と、挟持体１５７の傾く方向ｄとを示している。なお、（ａ）では解除手段１５５の記載が省略されている。同図（ｂ）は、（ａ）とは異なる方向から示したものであり、解除手段１５５と挟持体１５７との位置関係を示している。
【００５８】
解除手段１５５は、挟持体１５７に付加されている第一バネ１５８による付勢力に抗して挟持体１５７を移動させ、係合部２１５に対する第二係合部１５６との係合状態を解除する装置である。本実施の形態の場合、解除手段１５５は、移動方向の一面に傾斜部１６７を備えた凹部１６６を備えている。一方、挟持体１５７は、挟持体１５７の回転軸１５９から放射方向に突設されている突出部１６８と、突出部１６８の先端に備えられ、解除手段１５５と係りあうカム部１６９とを備えている。
【００５９】
解除手段１５５を同図（ｂ）中の矢印の方向に引っ張ると、傾斜部１６７により、カム部１６９が押圧されることによって、力ｆが発生し、カム部１６９が図中の左方向に向かって移動する。これによって、挟持体１５７は同図（ａ）中の矢印方向に回転移動する。同様に反対側に配置される挟持体１５７も同じように力を加えて回転させることによって、挟持体１５７の先端部分は広がる。
【００６０】
第二センサ１６５は、係合部２１５を第二係合部１５６に押し付けた状態における固定体１６０の位置と、係合部２１５と第二係合部１５６との係合が解除された状態（図３の状態）における固定体１６０の位置との相違を検出する装置である。本実施の形態の場合、第二センサ１６５としてマイクロスイッチが採用されている。
【００６１】
次に、圧力測定器１５０の圧力セル２１０が着脱される態様を説明する。
【００６２】
図６（ａ）に示すように、圧力セル２１０を圧力測定器１５０の挟持体１５７の間に挿入する。次に、図６（ｂ）に示すように、挟持体１５７に付加される付勢力に抗して圧力セル２１０が挟持体１５７を拡げる。さらに、圧力セル２１０を圧力測定器１５０に対して押し込むと、図７（ｃ）に示すように挟持体１５７を拡げながら、固定体１６０に付加される付勢力に抗して固定体１６０を押し込むことになる。最後に、図７（ｄ）に示すように、圧力セル２１０を所定の位置まで押し込むと、係合部２１５が挟持体１５７に設けられる孔である第二係合部１５６に嵌り込むと共に、挟持体１５７が第一バネ１５８により圧力セル２１０を挟み込むように閉じる。一方、第二バネ１６１は、固定体１６０を介して圧力セル２１０を押し付ける。この第二バネ１６１の付勢力は、第二係合部１５６に対し係合部２１５を押し付ける方向にかかる。以上によって、圧力セル２１０の基台１５１からの距離が固定される。
【００６３】
また、この状態で、第二センサ１６５先端部は、所定の位置まで押し下げられており、圧力セル２１０が圧力測定器１５０に取り付けられたことを通知できる状態となる。
【００６４】
一方、隔膜２１２に取り付けられている磁石２１６とは、磁力により接続され、隔膜２１２の膨出や凹陥に接続部１６２が追随する状態となる。
【００６５】
以上により、圧力測定器１５０に対して圧力セル２１０を押し付けるだけで、圧力セル２１０を圧力測定器１５０に取り付けることができる。また、取り付けられた圧力測定器１５０の筐体２１１の位置は、規制手段１５２の挟持体１５７によって規制されており、また、固定手段１５３によって固定されているため、例え圧力セル２１０の着脱が繰り返されたとしても基台１５１に対する圧力セル２１０の距離は一定となる。当該距離が一定であれば、基台１５１に対して取り付けられているセンサ１５４と圧力セル２１０の隔膜２１２との距離も一定になるため、安定した状態で圧力を測定することが可能となる。
【００６６】
この状態において、貯液室２１７に満たされた液体の圧力が高く、圧力セル２１０の隔膜が膨出した場合は、接続部１６２が押し込められ、ロードセル１６３に歪みが発生する。また、圧力が低いと圧力セル２１０の隔膜が凹陥した場合は、磁石２１６と磁力により接続された接続部１６２が引き出され、ロードセル１６３に押し込めたときとは逆の歪みが発生する。前記歪みがロードセル１６３によって電気信号に変換され、当該信号が液体の圧力として測定される。
【００６７】
一方、図８に示すように、解除手段（図示せず）を稼働させることによって発生する力ｆにより挟持体１５７が広がり、係合部２１５と第二係合部１５６との係合が解除される。また、固定体１６０に付加されている付勢力が開放されるため、当該付勢力は圧力セル２１０を圧力測定器１５０から押し出す方向に働く。この状態で解除手段１５５を元に戻すと、挟持体１５７が狭まってさらに圧力セル２１０を押し出す。
【００６８】
以上により、簡単に圧力セル２１０を圧力測定器１５０から取り外すことができる。
【００６９】
図９は、圧力測定器を他の角度から見た側面図である。
【００７０】
同図に示すように、圧力測定器１５０の基台１５１には、圧力セル２１０の貯液室２１７を透過する光を放射する投光装置１７１と、投光装置１７１から投光され貯液室２１７を透過した光を受け取る受光装置１７２とが取り付けられている。
【００７１】
以上から、投光装置１７１から投光される光の位置や受光装置１７２が光を受光する位置は、基台１５１に対して一定となり、圧力セル２１０が圧力測定器１５０に取り付けられた状態では基台１５１と筐体２１１との距離が一定となるため、常に同一の条件で貯液室２１７の光と透過状態を検知することが可能となる。
【００７２】
この投光装置１７１と受光装置１７２とは、ダイアライザ２２０を通過した後の透析液の圧力を検出するために配置される圧力セル２１０の圧力を測定する圧力測定器１５０に取り付けられ、ダイアライザ２２０から血液が濾液補液回路２０２に漏れ出しているか否かを監視するために用いられる。
【００７３】
なお、本発明は上記実施形態に限定されるわけではない。透析用の液体回路を例示して説明したが、液体回路としては人工心肺用の回路や輸液・輸血用の回路などでも良い。
【００７４】
また、図面に記載された液体回路の種類や位置、各基板の配置などは適用する血液透析装置によって変化するものであり、これら変化したものも本願発明に含まれる。例えば、図１０に示すように、血液透析装置１００の一面に、複数の圧力測定器１５０を並べて配置してもかまわない。このように、圧力セル２１０が取り付けられることで、複数の圧力セル２１０に流れる血液の圧力状態を把握でき、回路や装置の異常箇所を迅速に検出できるようになる。また、複数の圧力測定器１５０の解除手段１５５を共通化することで、一度に複数の圧力セル２１０を圧力測定器１５０から取り外すことが可能となる。
【産業上の利用可能性】
【００７５】
本願発明の圧力測定器、及び、当該圧力測定器を備えた血液透析装置に代表されるような体液処理装置は、圧力測定セルを容易に着脱でき、かつ、圧力測定器に対する圧力セルの位置を安定させることができるため、体液などの圧力を安定して測定することができる。従って、血液回路などの取り付け作業に不慣れな作業者が取り付けを行っても、正確な測定を確保することができるため、緊急時に使用されるような体液処理装置に特に利用可能である。
【符号の説明】
【００７６】
１００  血液透析装置
１０１  ポンプ
１５０  圧力測定器
１５１  基台
１５２  規制手段
１５３  固定手段
１５４  センサ
１５５  解除手段
１５６  第二係合部
１５７  挟持体
１５８  第一バネ
１５９  軸
１６０  固定体
１６１  第二バネ
１６２  接続部
１６３  ロードセル
１６４  アーム
１６５  第二センサ
１６６  凹部
１６７  傾斜部
１６８  突出部
１６９  カム部
１７１  投光装置
１７２  受光装置
２０１  血液回路
２０２  濾液補液回路
２１０  圧力セル
２１１  筐体
２１２  隔膜
２１３  導入口
２１４  導出口
２１５  係合部
２１６  磁石
２１７  貯液室
２２０  ダイアライザ
３００  人体
【図１】
2010259538.tif 000003
【図２】
2010259538.tif 000004
【図３】
2010259538.tif 000005
【図４】
2010259538.tif 000006
【図５】
2010259538.tif 000007
【図６】
2010259538.tif 000008
【図７】
2010259538.tif 000009
【図８】
2010259538.tif 000010
【図９】
2010259538.tif 000011
【図１０】
2010259538.tif 000012